(57)【要約】【課題】構造が簡単で且つ電極が区別し易い発光ダイオード灯具を提供すること。【解決手段】本発明に係る発光ダイオード灯具は、ランプホルダー、駆動電源及び発光ダイオードモジュールを備える。前記発光ダイオードモジュールは、基板、前記基板に設けられる少なくとも１つの発光ダイオード及び前記基板を貫通する２つの導電ピンを備える。前記基板は、熱伝導性がよい電気絶縁材料からなり且つ対向して配置される第一表面及び第二表面を備える。前記駆動電源は、第一電極及びこの第一電極と互いに絶縁する第二電極を有する電極接触部品を備え、前記第一電極が１つの導電ピンを介して前記第一表面に設けられた電気回路に電気的に接続され、且つ前記第二電極がもう１つの導電ピンを介して前記第一表面に設けられた電気回路に電気的に接続されることによって、前記駆動電源は、前記少なくとも１つの発光ダイオードに電気的に接続される。【選択図】図１
2013105651.tif 000002
【特許請求の範囲】
【請求項１】
ランプホルダー、駆動電源及び発光ダイオードモジュールを備える発光ダイオード灯具であって、
前記発光ダイオードモジュールは、基板、前記基板に設けられる少なくとも１つの発光ダイオード及び前記基板を貫通する２つの導電ピンを備え、前記基板は、熱伝導性がよい電気絶縁材料からなり、且つ対向して配置される第一表面及び第二表面を備え、前記第一表面には電気回路が設けられ、前記少なくとも１つの発光ダイオードが前記第一表面に設けられ且つ前記電気回路に電気的に接続され、
前記駆動電源は、第一電極及び前記第一電極を取り囲み、且つ前記第一電極と互いに絶縁する第二電極を有する電極接触部品を備え、
前記第一電極が１つの前記導電ピンを介して前記第一表面の電気回路に電気的に接続され、且つ前記第二電極がもう１つの前記導電ピンを介して前記第一表面の電気回路に電気的に接続されることによって、前記駆動電源は、前記少なくとも１つの発光ダイオードに電気的に接続されることを特徴とする発光ダイオード灯具。
【請求項２】
前記ランプホルダーは、１つの電気プラグを備え、前記電極接触部品の第一電極及び第二電極は、前記電気プラグを介して外部電源に電気的に接続されることを特徴とする請求項１に記載の発光ダイオード灯具。
【請求項３】
前記電極接触部品全体は、円盤状を呈し、前記第一電極は、円板であり、前記第二電極は、リング状であることを特徴とする請求項１又は２に記載の発光ダイオード灯具。
【請求項４】
前記第一電極と前記第二電極との間には、絶縁層が設けられることを特徴とする請求項１から３の何れか一項に記載の発光ダイオード灯具。
【請求項５】
前記基板には、前記第一表面及び前記第二表面を貫通する２つの貫通孔が設けられ、２つの前記導電ピンがそれぞれ２つの前記貫通孔に固定されることを特徴とする請求項１から４の何れか一項に記載の発光ダイオード灯具。
【請求項６】
前記電極接触部品は、前記基板の第二表面に接触し、前記第一電極及び前記第二電極は、それぞれ１つの前記導電ピンに接触することを特徴とする請求項１から５の何れか一項に記載の発光ダイオード灯具。
【請求項７】
前記発光ダイオードモジュールは、前記基板の第二表面に連結される中空筒体をさらに備え、前記中空筒体の前記基板から離れた一端が前記ランプホルダーに固定され、前記駆動電源が前記中空筒体内に収納されることを特徴とする請求項１から６の何れか一項に記載の発光ダイオード灯具。
【発明の詳細な説明】
【技術分野】
【０００１】
本発明は、灯具に関し、特に発光ダイオード灯具に関するものである。
【背景技術】
【０００２】
現在、発光ダイオード（Ｌｉｇｈｔ  Ｅｍｉｔｔｉｎｇ  Ｄｉｏｄｅ：ＬＥＤ）は多くの領域で広範囲に用いられている。従来の発光ダイオード灯具は、基板と、前記基板に設けられた電気回路と、前記基板に設けられ且つ前記電気回路に電気的に接続される発光ダイオードと、電気プラグと、前記電気プラグを介して外部電源に電気的に接続される駆動電源と、を備える。一般的に、前記駆動電源からは、前記電気回路に接続するための２つのリード線が引き出されている。２つの前記リード線を前記電気回路に接続する際に、予め前記リード線の極性をテストしなければならず、この手順が煩雑である。さらに、前記駆動電源を組み立てる際に、前記駆動電源の位置を調節する必要があるため、予めテストした２つの前記リード線の極性を間違えるという事態を招く。従って、構造が簡単で且つ電極を容易に区別することができる発光ダイオード灯具の提供が望まれている。
【発明の概要】
【発明が解決しようとする課題】
【０００３】
以上の問題点に鑑みて、本発明は、構造が簡単で且つ電極を区別し易い発光ダイオード灯具を提供することを目的とする。
【課題を解決するための手段】
【０００４】
上記の目的を達成するために、本発明に係る発光ダイオード灯具は、ランプホルダー、駆動電源及び発光ダイオードモジュールを備える。前記発光ダイオードモジュールは、基板、前記基板に設けられる少なくとも１つの発光ダイオード及び前記基板を貫通する２つの導電ピンを備える。前記基板は、熱伝導性がよい電気絶縁材料からなり、且つ対向して配置される第一表面及び第二表面を備え、前記第一表面には電気回路が設けられ、前記少なくとも１つの発光ダイオードが前記第一表面に設けられ且つ前記電気回路に電気的に接続される。前記駆動電源は、第一電極及びこの第一電極を取り囲み且つこの第一電極と互いに絶縁される第二電極を有する電極接触部品を備え、前記第一電極が１つの導電ピンを介して前記第一表面に設けられた前記電気回路に電気的に接続され、且つ前記第二電極がもう１つの導電ピンを介して前記第一表面に設けられた前記電気回路に電気的に接続されることによって、前記駆動電源は、前記少なくとも１つの発光ダイオードに電気的に接続される。
【発明の効果】
【０００５】
従来の技術と比較して、本発明に係る発光ダイオード灯具の電極接触部品の第二電極は、リング状を呈し、且つ絶縁層を隔てて第一電極を囲むように設けられる。このため、組立てる際に前記駆動電源の位置を変更しても、前記第一電極及び前記第二電極の極性を容易に区別できる。さらに、前記電極接触部品は、導電ピンを介して発光ダイオードモジュールの基板に設けられた電気回路に電気的に接続されるため、溶接工程を必要とせず、前記発光ダイオード灯具の構造が簡単となる。
【図面の簡単な説明】
【０００６】
【図１】本発明に係る発光ダイオード灯具の分解図である。
【図２】図１に示した発光ダイオード灯具を別の視点から見た分解図である。
【図３】図１に示した発光ダイオード灯具が一体に組み立てられた後の立体図である。
【発明を実施するための形態】
【０００７】
図１乃至図３に示したように、本発明の実施形態に係る発光ダイオード灯具１００は、ランプホルダー１０、駆動電源２０、発光ダイオードモジュール３０及びランプシェード４０を備える。
【０００８】
前記ランプホルダー１０は、固定部１２及び電気プラグ１４を備える。前記電気プラグ１４は、前記固定部１２の一端を囲むように設けられ、且つ外部電源と電気的に接続されることにより前記発光ダイオード灯具１００に給電する。前記固定部１２は、前記駆動電源２０及び前記発光ダイオードモジュール３０を固定するために用いられる。
【０００９】
前記発光ダイオードモジュール３０は、放熱器３１及び少なくとも１つの発光ダイオード３２を備える。本実施形態において、前記発光ダイオードモジュール３０は、五つの発光ダイオード３２を備える。しかし、前記発光ダイオードモジュール３０の発光ダイオード３２の数は、上記の実施形態に限定されるものではない。
【００１０】
前記放熱器３１は、基板３３、複数の放熱フィン３４、中空筒体３５及び複数の放熱ピン３６を備える。前記基板３３は、円盤状を呈し、且つ対向して配置される第一表面３３５及び第二表面３３６を備える。前記第一表面３３５は前記ランプホルダー１０から離れた側に位置しているが、前記第二表面３３６は前記ランプホルダー１０に近い側にある。前記第一表面３３５には、電気回路が設けられており、前記発光ダイオード３２は、前記第一表面３３５に装着され且つ前記電気回路に電気的に接続される。さらに、前記第一表面３３５には、複数の前記発光ダイオード３２を取り囲む１つの環状の取付凹溝３３７が形成されている。前記取付凹溝３３７は、前記ランプシェード４０を装着するために用いられる。
【００１１】
本実施形態において、前記基板３３は、セラミック等の熱伝導性がよい電気絶縁材料からなる。好ましくは、前記セラミックは、酸化アルミニウム（Ａｌ２Ｏ３）、窒化アルミニウム（ＡｌＮ）或いは両者の混合物である。前記電気回路は、電気メッキ法を介して前記基板３３の第一表面３３５に形成される。
【００１２】
さらに、前記基板３３には、前記第一表面３３５及び前記第二表面３３６を貫通する、第一貫通孔３３８及び第二貫通孔３３９が設けられている。前記第一貫通孔３３８は前記基板３３の中央部に近接して設けられ、前記第二貫通孔３３９は前記基板３３の周縁部に設けられる。前記第一表面３３５には、前記第一貫通孔３３８及び前記第二貫通孔３３９に対応して、円柱状の第一導電ピン３７及び円柱状の第二導電ピン３８がそれぞれ固定されている。具体的に説明すると、錫等の導電性に優れた溶融状態の金属を前記第一貫通孔３３８及び前記第二貫通孔３３９内に注入した後、それを固化させて前記第一導電ピン３７及び前記第二導電ピン３８を形成する。又は、導電性に優れた金属柱を前記第一貫通孔３３８及び前記第二貫通孔３３９内に緊密に係止することによって、前記第一導電ピン３７及び前記第二導電ピン３８を形成する。しかし、前記第一貫通孔３３８、前記第二貫通孔３３９、前記第一導電ピン３７及び前記第二導電ピン３８の形状は、上記の実施形態において記載された形状に限定されるものではなく、他の形状であってもよい。
【００１３】
複数の前記放熱フィン３４及び前記中空筒体３５は、前記基板３３の第二表面３３６に連接する。複数の前記放熱フィン３４は、前記中空筒体３５の外周面から突出し、且つ前記中空筒体３５の外周面に沿って均一に配列されている。本発明の実施形態において、複数の前記放熱フィン３４、前記中空筒体３５及び複数の前記放熱ピン３６は、前記基板３３と一体に形成されて、且つ前記基板３３と同じ材料によって製造される。前記中空筒体３５全体の断面は台形を呈し、且つ前記中空筒体３５の、前記基板３３から離れた一端と、前記ランプホルダー１０の固定部１２の、電気プラグ１４から離れた一端とは互いに連接固定される。
【００１４】
複数の前記放熱ピン３６は、前記基板３３の第一表面３３５に設けられ、且つ前記取付凹溝３３７の外側を取り囲むように設置される。これにより、前記ランプシェード４０が前記基板３３に装着された際、複数の前記放熱ピン３６は、前記ランプシェード４０の外側に位置するので、空気と直接接触し、素早く放熱することができる。
【００１５】
前記駆動電源２０は、前記ランプホルダー１０と前記発光ダイオードモジュール３０との間に設けられ、且つ前記電気プラグ１４と前記発光ダイオードモジュール３０とにそれぞれ接続されて、前記発光ダイオードモジュール３０に駆動電圧を供給する。前記駆動電源２０は、上面２１１を有する円盤状の電極接触部品２１を備える。
【００１６】
前記電極接触部品２１は、第一電極２２、第二電極２３及び前記第一電極２２と前記第二電極２３との間に設けられる絶縁層２４を備える。本発明の実施形態において、前記第一電極２２は、正極の円板であり、前記電極接触部品２１の中央部に設けられる。前記第二電極２３及び前記絶縁層２４は、それぞれ中心が同一のリング状構造である。前記第二電極２３は、負極であり、前記第一電極２２を囲むように設けられる。前記第一電極２２及び前記第二電極２３の一端は、それぞれ前記電気プラグ１４の正極及び負極に電気的に接続され、前記第一電極２２及び前記第二電極２３の他端は、前記駆動電源２０の電源出力端として、それぞれ前記基板３３の電気回路の正極及び負極に電気的に接続される。また、前記電極接触部品２１の形状は、他の形状であってもよく、且つ前記第一電極２２及び前記第二電極２３の極性を実際の状況に応じて変更することができる。
【００１７】
前記駆動電源２０が前記中空筒体３５内に収納された後、前記電極接触部品２１の上面２１１は前記基板３３の第二表面３３６に接触し、前記第一導電ピン３７は前記電極接触部品２１の第一電極２２に電気的に接続され、且つ前記第二導電ピン３８は前記第二電極２３に電気的に接続される。これにより、前記発光ダイオード灯具１００全体の体積が縮小される。また、上記の実施形態において、前記電極接触部品２１の上面２１１は、前記基板３３の第二表面３３６に接触しなくてもよい。この場合、前記第一導電ピン３７及び前記第二導電ピン３８をそれぞれ前記基板３３の第二表面３３６から長く突出させて、前記第一電極２２及び前記第二電極２３にそれぞれ電気的に接続させればよい。
【００１８】
前記中空筒体３５は、前記放熱器３１を前記ランプホルダー１０に装着すること、及び前記駆動電源２０を収納することに用いられる。しかし、前記放熱器３１と前記ランプホルダー１０との固定方式、及び前記駆動電源２０の設置位置は、上記の実施形態に限定されるものではない。
【００１９】
前記ランプシェード４０は、ガラス或いはプラスチック等の透明材料からなり、且つ半球状を呈する。
【００２０】
組み立てる場合、前記駆動電源２０を回転させながら、前記中空筒体３５内に収納する。前記第二電極２３がリング状を呈し、且つ前記第一電極２２及び前記第二電極２３の極性を予め確定できるため、前記第一電極２２及び前記第二電極２３の極性を容易に区分することができる。前記発光ダイオード３２は、前記基板３３を貫通する第一導電ピン３７、第二導電ピン３８を介してそれぞれ前記第一電極２２及び前記第二電極２３に電気的に接続されるので、溶接等の工程を省略できる。従って、本発明の発光ダイオード灯具１００は、構造が簡単で、使用の際に便利である。さらに、本発明は、高い熱伝導性を有し且つ電気絶縁材料からなる前記基板３３の表面に電気回路を直接形成し、且つその上面に発光ダイオード３２を設けることによって、前記発光ダイオード３２と前記放熱器３１との間の放熱障害を減少させ、前記発光ダイオード灯具１００の放熱効率及び放熱安定性を高めることができる。
【００２１】
また、前記第一導電ピン３７、前記第二導電ピン３８の数を増加させることを介して、前記基板３３の接続点を増加させることで、前記基板３３の第一表面３３５に設けられた電気回路をさらに簡素化することができる。
【００２２】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２３】
１０                ランプホルダー
１２                固定部
１４                電気プラグ
２０                駆動電源
２１                電極接触部品
２２                第一電極
２３                第二電極
２４                絶縁層
３０                発光ダイオードモジュール
３１                放熱器
３２                発光ダイオード
３３                基板
３４                放熱フィン
３５                中空筒体
３６                放熱ピン
３７                第一導電ピン
３８                第二導電ピン
４０                ランプシェード
１００              発光ダイオード灯具
２１１              上面
３３５              第一表面
３３６              第二表面
３３７              取付凹溝
３３８              第一貫通孔
３３９              第二貫通孔
【図１】
2013105651.tif 000003
【図２】
2013105651.tif 000004
【図３】
2013105651.tif 000005